(57)【要約】【課題】結束バンドによる電線固定後でも、結束バンドに対して一方側での大きくなってしまった寸法公差を吸収し、たるみを小さくできる技術を提供することを目的とする。【解決手段】結束バンドを用いた電線固定構造１０は、第１バンド挿通孔３０と第２バンド挿通孔４０とが形成された電線固定部２４を含む固定部材２０と、電線１２と、バンド部５２とバンド部５２を係止可能なバンド固定部５６とを含み、バンド部５２が第１バンド挿通孔３０と第２バンド挿通孔４０に通されるとともに、電線１２と電線固定部２４とに巻回された状態で、バンド固定部５６に係止される結束バンド５０と、を備える。第１バンド挿通孔３０が第２バンド挿通孔４０周りに延在する円弧状に形成されることにより、結束バンド５０と電線１２とが固定部材２０に対して第２バンド挿通孔４０を中心にして回転可能に設けられている。【選択図】図１
2015146685.tif 000002
【特許請求の範囲】
【請求項１】
板状に形成されると共に間隔をあけて第１バンド挿通孔と第２バンド挿通孔とが形成された電線固定部を含む固定部材と、
前記固定部材に固定される電線と、
バンド部と、前記バンド部の一方側端部とつながるとともに、前記バンド部の他方側端部を係止可能なバンド固定部とを含み、前記電線が前記電線固定部の一方側の主面に接した状態で、前記バンド部が前記第１バンド挿通孔と前記第２バンド挿通孔に通されるとともに、前記電線と前記電線固定部とに巻回された状態で、前記バンド固定部に係止される結束バンドと、
を備え、
前記第１バンド挿通孔が前記第２バンド挿通孔周りに延在する円弧状に形成されることにより、前記結束バンドと前記結束バンドにより前記固定部材に固定された前記電線とが前記固定部材に対して前記第２バンド挿通孔を中心にして回転可能に設けられている、結束バンドを用いた電線固定構造。
【請求項２】
請求項１に記載の結束バンドを用いた電線固定構造であって、
円弧状に形成された前記第１バンド挿通孔が、一端側から他端側にかけて前記第２バンド挿通孔との距離が順次小さくなるように形成されている、結束バンドを用いた電線固定構造。
【請求項３】
請求項１又は請求項２に記載の結束バンドを用いた電線固定構造であって、
前記バンド部が前記第２バンド挿通孔を中心に最大で４５度以上回転可能となるように前記第１バンド挿通孔の円弧状部分が形成されている、結束バンドを用いた電線固定構造。
【請求項４】
請求項１〜請求項３のいずれか１項に記載の結束バンドを用いた電線固定構造であって、
前記固定部材は、前記電線の中間部分を収容可能なプロテクタであり、
前記電線のうち前記プロテクタの端部から外に延びる部分が前記プロテクタの内部側に引っ張られるように、前記第１バンド挿通孔に通された前記バンド部が回転可能に形成されている、結束バンドを用いた電線固定構造。
【発明の詳細な説明】
【技術分野】
【０００１】
この発明は、結束バンドを用いて、電線を固定対象物に固定する技術に関する。
【背景技術】
【０００２】
結束バンドを用いて、電線を固定対象物に固定する技術として、例えば、特許文献１に記載のものがある。
【０００３】
特許文献１には、バンド固定部がバンド固定部収容孔に収容され、バンド部が固定部材の電線配策面の反対面、バンド挿通孔、電線配策面に配置された電線の外周、バンド固定部収容孔の経路を通ってバンド固定部にロックされた電線固定構造が開示されている。
【先行技術文献】
【特許文献】
【０００４】
【特許文献１】特開２０１２−２２８０８５号公報
【発明の概要】
【発明が解決しようとする課題】
【０００５】
しかしながら、特許文献１に記載の電線固定構造を用いて電線を固定する場合でも、結束バンドのバンド部を電線の周囲等に巻回している際に電線が固定されていないことにより、電線の余長部分が結束バンドに対して一方側に引き出されてしまうとともに、その状態で結束されてしまう場合がある。この場合、結束バンドに対して一方側での電線の寸法公差が大きくなってしまい、電線にたるみが生じる恐れがある。
【０００６】
そこで、本発明は、結束バンドによる電線固定後でも、結束バンドに対して一方側での大きくなってしまった寸法公差を吸収し、たるみを小さくできる技術を提供することを目的とする。
【課題を解決するための手段】
【０００７】
上記課題を解決するため、第１の態様に係る結束バンドを用いた電線固定構造は、板状に形成されると共に間隔をあけて第１バンド挿通孔と第２バンド挿通孔とが形成された電線固定部を含む固定部材と、前記固定部材に固定される電線と、バンド部と、前記バンド部の一方側端部とつながるとともに、前記バンド部の他方側端部を係止可能なバンド固定部とを含み、前記電線が前記電線固定部の一方側の主面に接した状態で、前記バンド部が前記第１バンド挿通孔と前記第２バンド挿通孔に通されるとともに、前記電線と前記電線固定部とに巻回された状態で、前記バンド固定部に係止される結束バンドと、を備え、前記第１バンド挿通孔が前記第２バンド挿通孔周りに延在する円弧状に形成されることにより、前記結束バンドと前記結束バンドにより前記固定部材に固定された前記電線とが前記固定部材に対して前記第２バンド挿通孔を中心にして回転可能に設けられている。
【０００８】
第２の態様に係る結束バンドを用いた電線固定構造は、第１の態様に係る結束バンドを用いた電線固定構造であって、円弧状に形成された前記第１バンド挿通孔が、一端側から他端側にかけて前記第２バンド挿通孔との距離が順次小さくなるように形成されている。
【０００９】
第３の態様に係る結束バンドを用いた電線固定構造は、第１又は第２の態様に係る結束バンドを用いた電線固定構造であって、前記バンド部が前記第２バンド挿通孔を中心に最大で４５度以上回転可能となるように前記第１バンド挿通孔の円弧状部分が形成されている。
【００１０】
第４の態様に係る結束バンドを用いた電線固定構造は、第１〜第３のいずれか１つの態様に係る結束バンドを用いた電線固定構造であって、前記固定部材は、前記電線の中間部分を収容可能なプロテクタであり、前記電線のうち前記プロテクタの端部から外に延びる部分が前記プロテクタの内部側に引っ張られるように、前記第１バンド挿通孔に通された前記バンド部が回転可能に形成されている。
【発明の効果】
【００１１】
第１〜第４の態様に係る結束バンドを用いた電線固定構造によると、結束バンドと結束バンドにより固定材に固定された電線とが固定部材に対して第２バンド挿通孔を中心にして回転可能に設けられているため、結束バンドによる電線固定後でも、電線を延在方向一方側から他方側に向けて引っ張り、電線を蛇行した状態にすることができる。これにより、大きくなってしまった寸法公差を吸収し、たるみを小さくすることができる。
【００１２】
特に、第２の態様に係る結束バンドを用いた電線固定構造によると、円弧状に形成された第１バンド挿通孔が、一端側から他端側にかけて第２バンド挿通孔との距離が順次小さくなるように形成されているため、固定部材に対してより確実に電線を回転させることができる。
【００１３】
特に、第３の態様に係る結束バンドを用いた電線固定構造によると、バンド部が第２バンド挿通孔を中心に最大で４５度以上回転可能となるように第１バンド挿通孔の円弧状部分が形成されているため、固定部材に対してより確実に電線を回転させることができる。
【００１４】
特に、第４の態様に係る結束バンドを用いた電線固定構造によると、電線のうちプロテクタの端部から外に延びる部分がプロテクタの内部側に引っ張られるように、第１バンド挿通孔に通されたバンド部が回転可能に形成されているため、電線の余長部分のうちプロテクタの端部よりも外側に位置する部分を、プロテクタの内部に収容することができる。
【図面の簡単な説明】
【００１５】
【図１】実施形態に係る結束バンドを用いた電線固定構造を示す概略平面図である。
【図２】固定部材の部分拡大図である。
【図３】結束バンドを用いて電線を固定する一工程を示す概略断面図である。
【図４】結束バンドを用いて電線を固定する一工程を示す概略断面図である。
【図５】結束バンドを用いて電線を固定する一工程を示す概略平面図である。
【図６】結束バンドを用いて電線を固定する一工程を示す概略平面図である。
【図７】結束バンドを用いて電線を固定する一工程を示す概略平面図である。
【発明を実施するための形態】
【００１６】
以下、実施形態に係る結束バンドを用いた電線固定構造１０について説明する。図１は、実施形態に係る結束バンドを用いた電線固定構造１０を示す概略平面図である。
【００１７】
実施形態に係る結束バンドを用いた電線固定構造１０は、電線１２と、固定部材２０と、結束バンド５０とを備える。
【００１８】
電線１２は、少なくとも１本含まれている。電線１２は、車両等に配索されて各種電気部品同士を電気的に接続する配線材として用いられる。ここでは、電線１２として、複数本の電線が束ねられた電線束が用いられている。また、ここでは、電線１２は、幹線１２ａから枝線１２ｂが途中で分岐している。以降、必要に応じて、電線１２と幹線１２ａ及び枝線１２ｂとを使い分けるものとする。電線１２には、光ファイバーケーブル等が含まれていてもよい。図１及び図３〜図７の電線１２では、複数本の電線が束ねられた電線束の概形が描かれている。
【００１９】
図２は、固定部材２０の部分拡大図である。固定部材２０は、電線固定部２４を含む。電線固定部２４は、板状に形成されている。電線固定部２４には、間隔をあけて第１バンド挿通孔３０と第２バンド挿通孔４０とが形成されている。第１バンド挿通孔３０と第２バンド挿通孔４０とは、板状に形成された電線固定部２４の一方側主面から他方側主面にかけて電線固定部２４を貫くように形成されている。
【００２０】
固定部材２０として、ここでは、プロテクタ２２が用いられている。具体的には、ここでは、プロテクタ２２は、電線１２の分岐部分を保護及び経路規制するための部材であり、電線１２の分岐に応じてＴ字状に形成されている。また、プロテクタ２２は、内部に電線１２を収容可能なように角筒状に形成されている。ここでは、第１バンド挿通孔３０と第２バンド挿通孔４０とは、この角筒状に形成されたプロテクタ２２の１つの面に形成されている。
【００２１】
なお、ここでは、第１バンド挿通孔３０と第２バンド挿通孔４０とは、プロテクタ２２の上面に形成されているが、側面に形成されていてもよいし、下面に形成されていてもよい。
【００２２】
より具体的には、プロテクタ２２は、幹線１２ａを保護する直線状の幹線保護部２２ａと、幹線保護部２２ａの中間位置から幹線保護部２２ａに直交するように延び、枝線１２ｂを保護する枝線保護部２２ｂとを含む。第１バンド挿通孔３０と第２バンド挿通孔４０とは、プロテクタ２２のうち、枝線保護部２２ｂの幹線保護部２２ａとつながっている側とは反対側の端部付近に形成されている。
【００２３】
ここでは、各電線１２の端部には端子（図示なし）が圧着されるとともに、枝線１２ｂの端部の端子がコネクタ８０ハウジングのキャビティ（図示なし）に挿入されることによって、枝線１２ｂの端部にコネクタ８０が設けられている。そして、結束バンド５０により電線１２をプロテクタ２２に固定する際に、当該コネクタ８０が所定位置に固定される。
【００２４】
なお、枝線１２ｂ端部にコネクタ８０が設けられることは必須ではない。本実施形態に係る結束バンドを用いた電線固定構造１０は、結束バンド５０を用いて電線１２を電線固定部２４に固定する際に電線固定部２４から少なくとも一方側に電線１２を引き出し可能な状態で固定することにより、電線１２が延在方向に位置ずれを起こす恐れがあるものに対して用いると効果的である。このようなものの例としては、ほかに、コネクタ８０が装着されておらず端子が露出した状態で固定するもの、端部にコネクタ８０ではなく、ヒューズあるいはリレーボックス等が設けられているもの、又は、電線１２の中間位置にクリップあるいはグロメット等が設けられているものなどがあげられる。
【００２５】
第１バンド挿通孔３０は、第２バンド挿通孔４０周りに延在する円弧状に形成されている。また、円弧状に形成された第１バンド挿通孔３０は、一端側から他端側にかけて第２バンド挿通孔４０との距離が順次小さくなるように形成されている。
【００２６】
具体的には、第１バンド挿通孔３０は、平面視円弧状に形成されている。より具体的には、第１バンド挿通孔３０は、第１長方形状孔３２と円弧状孔３６とを含む。第１長方形状孔３２の一方の短辺側に円弧状孔３６が連なるように形成されている。
【００２７】
第１長方形状孔３２は、結束バンド５０が電線１２と電線固定部２４とに巻回される際に、第１バンド挿通孔３０のうちバンド部５２が最初に通される部分である。第１長方形状孔３２の内周縁部の短辺部分３２ａの寸法は、バンド部５２の厚み寸法と同じかそれよりも大きく（ここでは、若干大きく）なるように設定されている。
【００２８】
円弧状孔３６の内周縁部は、内周側円弧状部３６ａと外周側円弧状部３６ｂとを含む。
【００２９】
内周側円弧状部３６ａは外周側円弧状部３６ｂよりも第２バンド挿通孔４０に近くなるように設けられている。内周側円弧状部３６ａは後述する中心点Ｃを中心とする円弧状に設けられている。また、内周側円弧状部３６ａの半径は第１長方形状孔３２から離れるにしたがって順次小さくなるように設けられている。
【００３０】
外周側円弧状部３６ｂは内周側円弧状部３６ａと一定の間隔を有した状態で、内周側円弧状部３６ａに沿うように設けられている。つまり、内周側円弧状部３６ａと外周側円弧状部３６ｂとの対応する部分は、後述する中心点Ｃを中心とする２つの同心円のうち対応する角度を有する部分が切り取られた態様で設けられている。この際に、内周側円弧状部３６ａと外周側円弧状部３６ｂとの間隔（２つの同心円の半径差）は第１長方形状孔３２の内周縁部の短辺部分３２ａの寸法と同じに設定されている。これにより、内周側円弧状部３６ａと外周側円弧状部３６ｂの間にバンド部５２を収めることができる。
【００３１】
もっとも第１バンド挿通孔３０の形状は上記したものに限られない。例えば、第１長方形状孔３２は形成されずに、円弧状孔３６のみ形成されていてもよい。
【００３２】
第２バンド挿通孔４０は、平面視蝶ネクタイ状に形成されている。より具体的には、第２バンド挿通孔４０は、第２長方形状孔４２と２つの扇形状孔４６とを含む。
【００３３】
第２長方形状孔４２の長辺部分４２ｂの寸法は、バンド部５２の幅方向の寸法と同じかそれよりも大きく（ここでは、若干大きく）なるように設定されている。また、第２長方形状孔４２の短辺部分４２ａの寸法は、バンド部５２の厚み方向の寸法と同じかそれよりも大きく（ここでは、若干大きく）なるように設定されている。第２長方形状孔４２は、結束バンド５０が電線１２と電線固定部２４とに巻回される際に、第２バンド挿通孔４０のうちバンド部５２が最初に通される部分である。つまり、第１バンド挿通孔３０の第１長方形状孔３２と第２バンド挿通孔４０の第２長方形状孔４２とは平行になるように設けられている。この際に、第１バンド挿通孔３０の第１長方形状孔３２と第２バンド挿通孔４０の第２長方形状孔４２との間隔は、電線１２の径と同じかそれよりも大きく（ここでは、若干大きく）なるように設定されている。
【００３４】
２つの扇形状孔４６は同形状に形成され、その半径は第２長方形状孔４２の内周縁部の長辺部分４２ｂの寸法の半分となっている。そして、第２長方形状孔４２の長辺部分４２ｂに半径部分４６ａをあわせるようにして扇形状孔４６が形成されている。この際に、２つの扇形状孔４６は、第２長方形状孔４２の対角線の交点で対称となるように配置された形状に形成されている。また、扇形状孔４６の２つの半径部分４６ａの交点（扇形の先端部分）が第２長方形状孔４２の長辺部分４２ｂの中央に位置するように設けられている。これにより、第２バンド挿通孔４０に通されたバンド部５２の幅方向中心であり、厚み方向中心である部分が第２長方形状孔４２の対角線の交点と重なる。この点を中心点Ｃとすると、当該中心点Ｃを通り、電線固定部２４に直交する軸周りに第２バンド挿通孔４０に通されたバンド部５２が回転できるように形成されている。
【００３５】
もっとも、第２バンド挿通孔４０の形状は上記したもの限られない。例えば、第２バンド挿通孔４０は、第２長方形状孔４２の長辺の寸法と等しい半径を持つ扇形状孔４６が１つだけ、その半径部分４６ａを第２長方形状孔４２の長辺部分４２ｂと一致させた状態で形成されていてもよい。この場合、中心点Ｃは扇形状孔４６の先端部分となる。つまり、第２バンド挿通孔４０は、第２バンド挿通孔４０に通されたバンド部５２が、電線固定部２４の主面に直交し第２バンド挿通孔４０を通る軸周りに回転可能に形成されていればよい。
【００３６】
また、バンド部５２が第２バンド挿通孔４０を中心に最大で４５度以上回転可能となるように第１バンド挿通孔３０の円弧状部分が形成されている。
【００３７】
具体的には、内周側円弧状部３６ａは、一方側端部と中心点Ｃとを結ぶ線分と、他方側端部と中心点Ｃとを結ぶ線分との成す角が４５度以上となるように設けられている。外周側円弧状部３６ｂも同様に一方側端部と中心点Ｃとを結ぶ線分と、他方側端部と中心点Ｃとを結ぶ線分との成す角が４５度以上となるように設けられている。また、第２バンド挿通孔４０の扇形状孔４６の中心角も４５度以上となるように設けられている。これらにより、バンド部５２が電線固定部２４の主面に直交し、第２バンド挿通孔４０内の中心点Ｃを通る軸周りに４５度以上回転可能に形成されている。
【００３８】
もっとも、バンド部５２が中心点Ｃを中心に４５度以上回転可能に形成されていることは必須ではない。バンド部５２の回転は４５度未満であってもよい。しかしながら、少なくとも４５度回転することで、より確実に電線１２を回転させ、蛇行した状態にすることができる。
【００３９】
結束バンド５０は、帯状に形成されたバンド部５２と、バンド部５２の一方側端部とつながると共にバンド部５２の他方側端部を係止可能に形成されたバンド固定部５６と、を含む。電線１２が電線固定部２４の一方側の主面に接した状態で、バンド部５２が第１バンド挿通孔３０と第２バンド挿通孔４０に通されるとともに、電線１２と電線固定部２４とに巻回された状態で、バンド固定部５６に係止される。
【００４０】
具体的には、バンド部５２の内周面と外周面とのうち少なくとも一方側の面（ここでは、外周面）には後述するバンド係止部５９が選択的に係止可能な複数の凹部５４が形成されている。複数の凹部５４のうちの各凹部５４は、ここでは、バンド部５２の先端側にバンド部５２の長手方向に沿って一定の間隔で順に形成されている。なお、各凹部５４の間隔が一定であることは必須ではない。また、ここでは、バンド部５２の先端側部分付近には凹部５４は形成されていない。より具体的には、各凹部５４の形状は、バンド部５２の厚み方向中央に向けて凹む形状に形成されている。
【００４１】
バンド固定部５６は、ここでは、直方体状に形成され、そのうちの一つの面からバンド部５２が突出する。また、バンド固定部５６は、バンド挿通部５８とバンド係止部５９とを備える。
【００４２】
バンド挿通部５８は、バンド部５２が挿通及び係止可能な係止孔５８ａが形成されている。ここでは、バンド挿通部５８は、両端側に開口する角筒状に形成されており、その内部に角孔状の係止孔５８ａが形成されている。係止孔５８ａの幅寸法は、バンド部５２の幅寸法よりも大きく、係止孔５８ａの高さ寸法はバンド部５２の厚み寸法よりも大きい。バンド部５２は電線１２及びプロテクタ２２に巻付けられた後、バンド挿通部５８の一端側開口から他端側開口に向けて係止孔５８ａ内に挿通される。ここでは、バンド固定部５６のうちバンド部５２が突出する面に直交する一対の側面を貫通する断面四角形の孔を形成することで、バンド挿通部５８及び係止孔５８ａとしている。
【００４３】
バンド係止部５９は、バンド部５２の一方側の面に複数設けられた凹部５４に選択的に係止可能に構成されている。ここでは、バンド係止部５９は、バンド挿通部５８のバンド部５２側とは反対側の内周面から突出する突起状に形成され、バンド部５２の外周面に設けられた凹部５４に選択的に係止可能に構成されている。
【００４４】
バンド係止部５９の幅寸法は、凹部５４の幅寸法と同じかそれよりも小さく（ここでは、若干小さく）設定されている。また、バンド係止部５９の高さ寸法は、凹部５４の深さ寸法と同じかそれよりも大きく（ここでは、若干大きく）設定されている。
【００４５】
ここで、バンド部５２とバンド固定部５６とで、バンド部５２を係止させる動作について説明する。
【００４６】
まずは、係止孔５８ａにバンド部５２を先端側部分から挿通していく。この際に、凹部５４が設けられていない先端側部分がバンド係止部５９を通過する際にはバンド係止部５９が弾性変形して凹部５４が設けられている部分までバンド部５２が挿通される。そして凹部５４が形成されている部分がバンド係止部５９まで挿通されるとバンド係止部５９が弾性変形の状態から元に戻り凹部５４に入り込む。
【００４７】
この状態で、バンド部５２をさらに挿通させようとすると、バンド部５２及びバンド係止部５９が弾性変形し、バンド部５２が挿通可能になる。
【００４８】
これに対して、バンド部５２を係止孔５８ａから抜く向きには、バンド部５２とバンド係止部５９とが引っかかり抜止状態になる。
【００４９】
バンド部５２が電線１２を締め付け、挿通不能となるところまでバンド部５２を係止孔５８ａに挿通させることで、バンド部５２はどちらの向きにも動けず係止状態となる。以上により、バンド部５２が電線１２を締め付けるように、バンド部５２を電線１２及び電線固定部２４の第１バンド挿通孔と第２バンド挿通孔との間の部分の周囲に巻付けた状態でバンド固定部５６に係止可能となる。
【００５０】
この際に、バンド部５２のうちバンド係止部５９を通過した余長部分については、切断されることで他の部材に干渉することを抑えることができる。
【００５１】
なお、バンド係止部５９は一度に１つの凹部５４にのみ入り込む形状でもよいし、同時に２つ以上の凹部５４に入り込むように形成されていてもよい。バンド係止部５９が同時に２つ以上の凹部５４に入り込むように形成されていると、バンド部５２の係止状態（抜止状態）がより強固になる。
【００５２】
もっとも、バンド部５２をバンド固定部５６に固定する構成は、上記したものに限られない。例えば、凹部５４がバンド部５２の側部に設けられ、バンド係止部５９がバンド挿通部５８の内周側の側面に設けられていてもよい。つまり、バンド部５２が電線１２に巻回された状態で、バンド部５２の先端側から順にバンド固定部５６に固定可能なものであればよい。
【００５３】
＜動作＞
次に、結束バンドを用いた電線固定構造１０の固定動作について説明するが、その前に電線固定の際のたるみの発生原理等について説明する。ここでは、実施形態のように端部にコネクタ８０が設けられているもので説明する。
【００５４】
車両等に配設される電線１２には、通常、その長さが寸法の許容範囲の最小値より大きく、余長が生じているものが用いられる。このような電線１２を用いて、車両に配設される状態の電線１２モジュールを製造するには、例えば、次のようにする。
【００５５】
即ち、結束バンド５０により固定する部分に対して一方側に設けられたコネクタ８０等を所定の寸法位置に固定し、その状態で電線１２がピンと張るように作業者が電線１２を結束バンド５０の位置に対してコネクタ８０側とは反対側に引っ張った状態で、電線１２と固定部材２０とを結束バンド５０で固定する。
【００５６】
この際に、結束バンド５０に対してコネクタ８０側とは反対側の電線１２は、通常、保持されていないか、又は、保持されていても弱い保持力で保持される。つまり、コネクタ８０を固定し、電線１２をピンと張った状態で、電線１２は延在方向のうちコネクタ８０と反対側には移動不可となるが、コネクタ８０側には移動可能である。これにより、電線１２が延在方向のうちコネクタ８０側に引き出され、位置ずれを起こしてしまう場合がある。このように電線１２が延在方向のうちコネクタ８０側に引き出されてしまった場合に、結束部材とコネクタ８０との間の電線１２にたるみが発生する。
【００５７】
なお、たるみが発生した場合でも、電線１２をピンと張るようにコネクタ８０の位置をプロテクタ２２から遠ざけるようにずらした際に、コネクタ８０の移動量が寸法公差の許容範囲内であれば、そのまま製品とすることができる。しかしながら、たるみが大きくなってしまい、コネクタ８０の移動量が寸法公差の許容範囲を超えた場合、製品不良となってしまう。
【００５８】
本実施形態に係る結束バンドを用いた電線固定構造１０は、このように、電線１２と固定部材２０とを結束バンド５０で固定する際に、電線１２が延在方向の一方側に引き出され、位置ずれを起こすことによって発生したたるみを小さくすることができ、たるみによる電線１２の寸法公差を許容範囲内に収めることができるようにするためのものである。
【００５９】
次に、結束バンドを用いた電線固定構造１０の固定動作について説明する。図３〜図７は、それぞれ結束バンド５０を用いて電線１２を固定する一工程を示す説明図である。また、図３及び図４は、電線１２の延在方向に沿って切断した概略断面図である。また、図５〜図７は、概略平面図である。
【００６０】
まずは、図３のように、プロテクタ２２の内部に電線１２を収容するとともに、電線１２の端部に設けられたコネクタ８０をコネクタ保持用治具８２に固定する。そして、電線１２を、プロテクタ２２の電線固定部２４の内周面のうち第１バンド挿通孔３０と第２バンド挿通孔４０との間の内周面に接した状態で、ピンと張るようにプロテクタ２２の内部側に引っ張る。この状態で、プロテクタ２２及び電線１２の周囲に結束バンド５０を巻回し、電線１２を固定部材２０に固定する。
【００６１】
この際に、プロテクタ２２の内部に電線１２を収容するために、例えば、プロテクタ２２が本体部と蓋部とが着脱可能に設けられている構造を採用することができる。これにより、電線１２をプロテクタ２２の本体部の内部に収容した後に、蓋部で蓋をすることで、電線１２の周囲を囲うことができる。
【００６２】
また、コネクタ保持用治具８２として、ここでは、作業板（図示なし）に固定される作業板固定部８４と、作業板固定部８４と移動可能に連結され、コネクタ８０を保持可能なコネクタ保持部８６とを備えるものが用いられている。ここでは、プロテクタ２２の端部からコネクタ８０までの電線１２の寸法が許容範囲の最小値になるように作業板固定部８４が作業板に固定されている。また、コネクタ保持部８６は作業板固定部８４に対して一方方向に、許容される寸法公差の最大値分まで移動可能に設定されている。これにより、コネクタ８０を保持するコネクタ保持部８６を作業板固定部８４に対して動かすだけで、電線１２の寸法が許容範囲内かどうかを調べることができる。
【００６３】
また、結束バンド５０により電線１２を電線固定部２４に固定するには、まず、結束バンド５０のバンド部５２の先端を第１バンド挿通孔３０からプロテクタ２２の内部に通す。そして、バンド部５２が電線１２を間に挟んだ状態で、第２バンド挿通孔４０にバンド部５２の先端を通し、プロテクタ２２の外部に出す。最後に、バンド部５２を上述したようにバンド固定部５６に係止させることで、結束バンド５０により電線１２を電線固定部２４に固定することができる。
【００６４】
結束バンド５０により電線１２を電線固定部２４に固定することで、結束バンド５０により固定されている部分の電線１２は、延在方向に移動不可となる。この際に結束バンド５０は、図５のように、バンド部５２が、第１バンド挿通孔３０の第１長方形状孔３２と第２バンド挿通孔４０の第２長方形状孔４２に収まるように取り付けられる。これにより、電線１２は直線状に固定される。
【００６５】
この状態で、バンド部５２の側面のうちプロテクタ２２の自由端側に位置する方を一方側側面５２ａとし、反対側の側面を他方側側面５２ｂとする。結束バンド５０により電線１２を電線固定部２４に固定した最初の段階では、バンド部５２の一方側側面５２ａが第１バンド挿通孔３０の周方向一方側端部３０ａの内周縁部と接しているか、近い位置で対向している。
【００６６】
ここで、結束バンド５０により電線１２を電線固定部２４に固定した状態で、結束バンド５０とコネクタ８０との間の電線１２にたるみが生じていない場合は、その時点で電線１２の固定作業は終了となる。しかしながら、図４のように、結束バンド５０とコネクタ８０との間の電線１２にたるみが生じている場合は、まずこのたるみによる寸法公差が、許容範囲内かどうかを調べる。
【００６７】
たるみによる寸法公差が許容範囲内かどうかを調べるには、コネクタ保持部８６がコネクタ８０を保持した状態で、作業板固定部８４に対して、コネクタ保持部８６を移動させる。この際に、コネクタ保持部８６が作業板固定部８４に対して最大限移動しない場合、又は、最大限移動した状態でたるみが解消され、電線１２がピンと張っている場合は、寸法的に合格となり、この時点で、固定作業は終了する。
【００６８】
そして、コネクタ保持用治具８２のコネクタ保持部８６が作業板固定部８４に対して、許容寸法範囲の最大限まで移動した状態でもまだたるみが生じている場合は、たるみを小さくしていく工程に移る。
【００６９】
なお、たるみが発生している場合に、たるみによる寸法公差が許容範囲内かどうかを調べることは必須ではない。つまり、たるみが発生している場合でも、たるみによる寸法公差が許容範囲内かどうかを調べることなく、すぐにたるみを小さくする工程に移ってもよい。
【００７０】
また、たるみによる寸法公差が許容範囲内であっても、たるみを小さくする工程を行ってもよい。
【００７１】
たるみを小さくするために、図５のように、結束バンド５０を回転させていく。具体的には、バンド部５２のうち第１バンド挿通孔３０に通された部分を第１バンド挿通孔３０に沿って第２バンド挿通孔４０の中心点Ｃを中心にして回転させていく。換言すると、バンド部５２の他方側側面５２ｂを第１バンド挿通孔３０の周方向他方側端部３０ｂの内周縁部に接近させるようにバンド部５２を回転させていく。すると、図６のように、バンド部５２の他方側側面５２ｂが電線１２の外周面と接触する。
【００７２】
ここから、今までと同じ向きにさらに結束バンド５０を回転させようとすると、摩擦力により電線１２も共に回転を始める。この際に電線１２は蛇行するように回転していく。これにより、電線１２がプロテクタ２２の内部側に引っ張られ、たるみが小さくなっていく。そして、電線１２がピンと張る状態、又は、図７のように、バンド部５２の他方側側面５２ｂが第１バンド挿通孔３０の周方向他方側端部３０ｂの内周縁部に接触する状態まで、結束バンド５０と電線１２とを回転させていく。
【００７３】
結束バンド５０と電線１２とを回転させている最中に、電線１２がピンと張る状態となった場合は、そこで回転を停止させ、その状態で固定作業が終了となる。
【００７４】
図７のように、バンド部５２の他方側側面５２ｂが第１バンド挿通孔３０の周方向他方側端部３０ｂの内周縁部に接触する状態まで、結束バンド５０と電線１２とを回転させた場合は、再び、コネクタ保持部８６を作業板固定部８４に対して移動させて、許容寸法範囲内かどうかを確認する。許容寸法範囲内であれば、寸法的に合格となり、固定作業は終了する。
【００７５】
なお、バンド部５２の他方側側面５２ｂが第１バンド挿通孔３０の周方向他方側端部３０ｂの内周縁部に接触する状態まで結束バンド５０と電線１２とを回転させた状態でも寸法的に不合格の場合は、結束バンド５０を切断するなどして取り外し、最初から固定作業をやり直す。
【００７６】
＜効果＞
実施形態に係る結束バンドを用いた電線固定構造１０によると、結束バンド５０と結束バンド５０により固定材に固定された電線１２とが固定部材２０に対して第２バンド挿通孔４０を中心にして回転可能に設けられているため、結束バンド５０による電線１２固定後でも、電線１２を延在方向一方側から他方側に向けて引っ張り、電線１２を蛇行した状態にすることができる。これにより、大きくなってしまった寸法公差を吸収し、たるみを小さくすることができる。
【００７７】
また、円弧状に形成された第１バンド挿通孔３０が、一端側から他端側にかけて第１バンド挿通孔３０との距離が順次小さくなるように形成されているため、固定部材２０に対してより確実に電線１２を回転させることができる。
【００７８】
また、バンド部５２が第２バンド挿通孔４０を中心に最大で４５度以上回転可能となるように第１バンド挿通孔３０の円弧状部分が形成されているため、固定部材２０に対してより確実に電線１２を回転させることができる。
【００７９】
また、電線１２のうちプロテクタ２２の端部から外に延びる部分がプロテクタ２２の内部側に引っ張られるように、第１バンド挿通孔３０に通されたバンド部５２が回転可能に形成されているため、電線１２の余長部分のうちプロテクタ２２の端部よりも外側に位置する部分を、プロテクタ２２の内部に収容することができる。
【００８０】
以上のようにこの発明は詳細に説明されたが、上記した説明は、すべての局面において、例示であって、この発明がそれに限定されるものではない。例示されていない無数の変形例が、この発明の範囲から外れることなく想定され得るものと解される。
【符号の説明】
【００８１】
１０  結束バンドを用いた電線固定構造
１２  電線
２０  固定部材
２２  プロテクタ
２４  電線固定部
３０  第１バンド挿通孔
４０  第２バンド挿通孔
５０  結束バンド
５２  バンド部
５６  バンド固定部
【図１】
2015146685.tif 000003
【図２】
2015146685.tif 000004
【図３】
2015146685.tif 000005
【図４】
2015146685.tif 000006
【図５】
2015146685.tif 000007
【図６】
2015146685.tif 000008
【図７】
2015146685.tif 000009